(57)【要約】【課題】液体収容体の着脱操作を適切に行うことができる液体噴射装置を提供する。【解決手段】液体噴射装置１１は、液体を収容可能な液体収容体４０が着脱可能に装着される装着部１４と、液体収容体４０から供給される液体を噴射するように構成された液体噴射ヘッドと、を備える。装着部１４は、液体収容体４０を係止可能な係止部３１と、係止部３１に向けて延びる移動路３２と、液体収容体４０を係止部３１から離れる方向に付勢可能な第１付勢部３３及び第２付勢部３７と、を有する。液体収容体４０が係止部３１から離れた移動路３２上では第２付勢部３７が液体収容体４０を付勢し、液体収容体４０が係止部３１に係止されるときには、第２付勢部３７に加えて第１付勢部３３が液体収容体４０を付勢する。【選択図】図４
2018138333.tif 000002
【特許請求の範囲】
【請求項１】
液体を収容可能な液体収容体が着脱可能に装着される装着部と、
前記液体収容体から供給される前記液体を噴射するように構成された液体噴射ヘッドと、
を備え、
前記装着部は、前記液体収容体を係止可能な係止部と、前記係止部に向けて延びる移動路と、前記液体収容体を前記係止部から離れる方向に付勢可能な第１付勢部及び第２付勢部と、を有し、
前記液体収容体が前記係止部から離れた前記移動路上では前記第２付勢部が前記液体収容体を付勢し、前記液体収容体が前記係止部に係止されるときには、前記第２付勢部に加えて前記第１付勢部が前記液体収容体を付勢する
ことを特徴とする液体噴射装置。
【請求項２】
前記液体収容体は、前記移動路上にあるときに、前記移動路の終端側の端に、前記第１付勢部と係合可能な付勢受部を有する
ことを特徴とする請求項１に記載の液体噴射装置。
【請求項３】
前記液体収容体は、前記移動路に沿って延びる外面を有し、
前記外面には、前記第２付勢部と係合可能な係合部が設けられる
ことを特徴とする請求項１または請求項２に記載の液体噴射装置。
【請求項４】
前記液体収容体は、前記液体を収容する収容容器と、前記収容容器が着脱可能に装着されるトレイと、を有し、
前記第１付勢部及び前記第２付勢部は、前記トレイに係合して、前記液体収容体を付勢するように構成される
ことを特徴とする請求項１から請求項３のうちいずれか一項に記載の液体噴射装置。
【請求項５】
前記液体収容体は、前記移動路上にあるときに、前記移動路の終端側の端に、前記液体を導出する液体導出部を有し、
前記装着部は、前記液体導出部と接続可能な液体導入部を有し、
前記液体収容体が前記装着部から取り外されるときには、前記液体導出部と前記液体導入部との接続が外れた後に、前記液体収容体が前記第１付勢部から離れる
ことを特徴とする請求項１から請求項４のうちいずれか一項に記載の液体噴射装置。
【請求項６】
前記液体収容体は回路基板を有し、
前記装着部は前記回路基板と電気的に接続される基板接続部を有し、
前記液体収容体が前記装着部から取り外されるときには、前記回路基板と前記基板接続部との接続が外れた後に、前記液体収容体が前記第１付勢部から離れる
ことを特徴とする請求項１から請求項５のうちいずれか一項に記載の液体噴射装置。
【請求項７】
前記装着部は、前記移動路に沿って延びる案内部を有し、
前記第２付勢部の少なくとも一部は、前記案内部に沿って配置される
ことを特徴とする請求項１から請求項６のうちいずれか一項に記載の液体噴射装置。
【請求項８】
前記移動路において、前記液体収容体が前記第２付勢部から付勢力を受けた状態で移動可能な距離は、前記液体収容体が前記第１付勢部から付勢力を受けた状態で移動可能な距離よりも長い
ことを特徴とする請求項１から請求項７のうちいずれか一項に記載の液体噴射装置。
【発明の詳細な説明】
【技術分野】
【０００１】
本発明は、プリンターなどの液体噴射装置に関する。
【背景技術】
【０００２】
液体噴射装置の一例として、カートリッジ装着部にロックレバーとコイルばねとを設け、インクカートリッジがコイルばねの付勢力に抗してカートリッジ装着部に挿入されると、ロックレバーがインクカートリッジを係止するプリンターがある（例えば、特許文献１）。
【先行技術文献】
【特許文献】
【０００３】
【特許文献１】登録実用新案第３１８３７９８号公報
【発明の概要】
【発明が解決しようとする課題】
【０００４】
ロックレバーの係止が外れると、インクカートリッジはコイルばねの付勢力によってカートリッジ装着部の外に押し出される。この場合、コイルばねの付勢力を強くすると、カートリッジの取り出しは容易になるが、カートリッジを挿入するときの抵抗が大きくなり、装着がしづらくなる。本発明の課題は、液体収容体の着脱操作を適切に行うことができる液体噴射装置を提供することである。
【課題を解決するための手段】
【０００５】
上記課題を解決する液体噴射装置は、液体を収容可能な液体収容体が着脱可能に装着される装着部と、前記液体収容体から供給される前記液体を噴射するように構成された液体噴射ヘッドと、を備え、前記装着部は、前記液体収容体を係止可能な係止部と、前記係止部に向けて延びる移動路と、前記液体収容体を前記係止部から離れる方向に付勢可能な第１付勢部及び第２付勢部と、を有し、前記液体収容体が前記係止部から離れた前記移動路上では前記第２付勢部が前記液体収容体を付勢し、前記液体収容体が前記係止部に係止されるときには、前記第２付勢部に加えて前記第１付勢部が前記液体収容体を付勢する。
【図面の簡単な説明】
【０００６】
【図１】液体噴射装置の一実施形態の全体構成図。
【図２】図１の液体噴射装置が備える装着部と液体収容体の斜視図。
【図３】図２の装着部の分解斜視図。
【図４】図１の液体噴射装置が備える装着部と液体収容体の平面図。
【図５】図１の液体噴射装置に装着される液体収容体の分解斜視図。
【図６】図６の液体収容体の正面図。
【図７】図６の液体収容体と幅が異なる別の液体収容体の正面図。
【図８】図６の液体収容体が備えるトレイを底面側から見た斜視図。
【図９】図７の液体収容体が備えるトレイを底面側から見た斜視図。
【発明を実施するための形態】
【０００７】
以下、液体噴射装置の実施形態について、図を参照して説明する。液体噴射装置は、例えば、液体の一例であるインクの噴射によって、用紙などの媒体に印刷するインクジェット式のプリンターである。
【０００８】
図１に示すように、液体噴射装置１１は、筐体１２と、液体収容体４０が着脱可能に装着される装着部１４と、媒体９９を収容可能なカセット１６と、媒体９９を支持可能な支持台１５と、制御部１００と、を備える。液体収容体４０には、液体が収容される。カセット１６は、筐体１２に対して着脱可能に装着される。筐体１２と重力方向Ｚに並ぶ位置には、１または複数の増設ユニット１７を配置することができる。増設ユニット１７には、媒体９９を収容可能なカセット１９が装着される。
【０００９】
筐体１２には、液体噴射ヘッド２１と、液体噴射ヘッド２１を保持して幅方向Ｘに往復移動するキャリッジ２２と、キャリッジ２２の移動を案内するガイド軸１８と、液体噴射ヘッド２１に液体を供給するように配置された供給流路２３と、が収容される。液体導入部２０は、供給流路２３の上流端を構成する。供給流路２３は、撓み変位可能なチューブ２３ａと、チューブよりも剛性が高い継手２３ｂと、を含む。
【００１０】
装着部１４は、液体を導入可能な液体導入部２０を有する。液体収容体４０が装着部１４に装着されると、液体収容体４０に収容された液体が液体導入部２０を通じて供給流路２３に導入される。これにより、液体噴射ヘッド２１には、液体収容体４０から液体が供給される。
【００１１】
装着部１４には、１または複数の液体収容体４０が着脱可能に装着される。液体収容体４０は、奥行方向Ｙへの移動に伴って装着部１４に装着され、奥行方向Ｙの反対方向となる取出方向への移動に伴って装着部１４から取り外される。装着部１４に複数の液体収容体４０を装着する場合、複数の液体収容体４０は幅方向Ｘに並べて装着するとよい。
【００１２】
液体噴射ヘッド２１は、液体を噴射可能なノズル２４を有し、キャリッジ２２とともに移動する。液体噴射ヘッド２１は、移動しながら、支持台１５に支持された媒体９９に向かって液体を噴射するように構成される。制御部１００は、液体噴射ヘッド２１など、液体噴射装置１１の構成要素を制御する。
【００１３】
図２に示すように、装着部１４は、液体収容体４０を係止可能な係止部３１と、係止部３１に向けて延びる移動路３２と、液体収容体４０を係止部３１から離れる方向に付勢可能な第１付勢部３３及び第２付勢部３７と、を有する。移動路３２において、奥行方向Ｙの手前側の端を始端、奥行方向Ｙの奧前側の端を終端とする。移動路３２において、係止部３１に向かう方向を装着方向Ｄ１として示し、係止部３１から離れる方向を取出方向Ｄ２として示す。第１付勢部３３は移動路３２の終端に配置され、第２付勢部３７は移動路３２の途中に配置される。
【００１４】
装着部１４は、制御部１００と電気的に接続された基板接続部３５と、基板接続部３５と並んで配置される位置決め突部３６とを有してもよい。基板接続部３５は、液体導入部２０より上方に配置することが好ましい。液体導入部２０の下方には、液体導入部２０から漏れた液体を受容可能な液受け部２５を配置するとよい。位置決め突部３６は、幅方向Ｘに並ぶように２つ設けるとよい。この場合、２つの位置決め突部３６の間に、基板接続部３５、液体導入部２０及び係止部３１を配置するとよい。
【００１５】
装着部１４は、移動路３２に沿って延びる案内部３４を有してもよい。第２付勢部３７の少なくとも一部は、案内部３４に沿って配置するとよい。案内部３４は、例えば、線条の凹部または突部として形成することができる。装着部１４に複数の異なる種類の液体収容体４０を装着する場合、案内部３４の配置や形状を異ならせることによって、各形状に適応する特定の液体収容体４０の装着を許容することができる。
【００１６】
装着部１４が移動路３２を形成する底板３８を有する場合、底板３８に案内部３４として機能する溝を設け、その溝内に、第２付勢部３７が突出した状態で移動可能なガイド孔３８ａを設けるとよい。ガイド孔３８ａは装着方向Ｄ１が長手方向となる。ガイド孔３８ａの長手方向の長さは、移動路３２において、液体収容体４０が第２付勢部３７から付勢力を受けた状態で移動可能な距離Ｌ２（図４参照）に相当する。この距離Ｌ２を、第２付勢部３７の付勢距離とする。
【００１７】
液体収容体４０は、奥行方向Ｙに延びる４つの外面である底面４１、天面４２及び側面４３，４４と、これら４面と交差する装着面４５及び背面４６と、有する。液体収容体４０は、移動路３２上にあるときに、装着面４５が移動路３２の終端側に位置する。液体収容体４０は、装着面４５に、液体を導出する液体導出部５０と、第１付勢部３３と係合可能な付勢受部５３と、を有することが好ましい。
【００１８】
装着面４５には、装着部１４への装着時に位置決め突部３６と係合する位置決め孔５６を設けるとよい。天面４２側には、装着部１４への装着時に基板接続部３５と電気的に接続される回路基板５５を設けるとよい。底面４１には、装着部１４への装着時に係止部３１と係合可能な係合凹部５１を設けるとよい。係合凹部５１は、例えばハートカムの形状にすることができる。
【００１９】
液体収容体４０の底面４１には、第２付勢部３７と係合可能な係合部４７を設けるとよい。底面４１には、案内部３４と係合可能な係合突部４８を設けてもよい。この場合、係合突部４８と係合部４７を一体に形成してもよい（図８及び図９を併せて参照）。係合部４７は、幅方向Ｘにおいて、液体収容体４０の両端よりも中心に近い位置に配置することが好ましい。
【００２０】
図３に示すように、装着部１４は、第２付勢部３７に付勢力を付与する第２付勢部材３９を備えるとよい。第２付勢部材３９は、例えばコイルばね、空気ばねまたは板ばねなどで構成することができる。第２付勢部材３９がコイルばねである場合、底板３８に第１係止部３８ｂを設けるとともに第２付勢部３７に第２係止部３７ｂを設け、第１係止部３８ｂと第２係止部３７ｂに第２付勢部材３９の両端を掛けるとよい。
【００２１】
装着部１４は、第１付勢部３３に付勢力を付与する第１付勢部材２６を備えるとよい。第１付勢部材２６は、例えばコイルばね、空気ばねまたは板ばねなどで構成することができる。第１付勢部材２６がコイルばねである場合、第１付勢部３３を円筒状に形成し、その内周側に液体導入部２０を収容するとよい。この場合、第１付勢部３３は、第１付勢部材２６の伸縮に伴って、液体導入部２０に対して相対移動するように構成するとよい。
【００２２】
図４に示した幅方向Ｘに並ぶ３つの液体収容体４０のうち、真ん中の液体収容体４０は、底面４１の構成を模式的に図示している。
図４に示すように、第１付勢部３３が第１付勢部材２６の伸縮に伴って移動する距離は、液体収容体４０が第１付勢部３３から付勢力を受けた状態で移動可能な距離Ｌ１に相当する。この距離Ｌ１を、第１付勢部３３の付勢距離とすると、第２付勢部３７の付勢距離Ｌ２は、第１付勢部３３の付勢距離Ｌ１よりも長い。
【００２３】
液体収容体４０が移動路３２に入って奥行方向Ｙに進むと、移動路３２の途中で係合部４７が第２付勢部３７と係合する。そのため、液体収容体４０がさらに移動路３２を奧に進むときには、液体収容体４０は第２付勢部材３９の付勢力を受ける。このときには、液体収容体４０は第１付勢部３３からは付勢力を受けていない。
【００２４】
液体収容体４０が移動路３２の終端に近づくと、位置決め突部３６が位置決め孔５６に入り、液体収容体４０の幅方向Ｘ及び重力方向Ｚの位置が定められる。さらに液体収容体４０が奧に進むと、係合凹部５１が係止部３１と係合し、液体導出部５０と回路基板５５がそれぞれ液体導入部２０と基板接続部３５に接続する。
【００２５】
液体収容体４０が係止部３１に係止されるときには、第２付勢部３７に加えて第１付勢部３３が液体収容体４０を付勢する。係合凹部５１が係止部３１に引っかかると、液体収容体４０は、第１付勢部３３及び第２付勢部３７から付勢力を受けた状態で、装着部１４に保持される。
【００２６】
係合凹部５１がハートカムの場合、係止部３１に係止された液体収容体４０を装着方向Ｄ１に押し込むと、係止部３１の係合凹部５１に対する係合が外れる。係止部３１が係合凹部５１から離れると、液体収容体４０は第１付勢部３３及び第２付勢部３７から受ける付勢力によって、移動路３２の始端に向けて取出方向Ｄ２に移動する。液体収容体４０の取出方向Ｄ２への移動によって付勢受部５３が第１付勢部３３から離れると、液体収容体４０は第１付勢部材２６の付勢力を受けなくなり、第２付勢部材３９の付勢力によって取出方向Ｄ２に移動する。このように、液体収容体４０が係止部３１から離れた移動路３２上では、第２付勢部３７が液体収容体４０を付勢する。
【００２７】
液体収容体４０が装着部１４から取り外されるときには、液体導出部５０と液体導入部２０との接続が外れた後に、液体収容体４０が第１付勢部３３から離れるようにするとよい。この構成によれば、強い力が必要となる液体導出部５０と液体導入部２０との接続解除時に、第１付勢部３３と第２付勢部３７の両方で液体収容体４０を付勢することができる。液体導入部２０の下方に液受け部２５を設けておくと、液体導出部５０と液体導入部２０との接続が外れたときに漏出する液体を液受け部２５で受容することができる。
【００２８】
液体収容体４０が装着部１４から取り外されるときには、回路基板５５と基板接続部３５との接続が外れた後に、液体収容体４０が第１付勢部３３から離れるようにするとよい。この構成によれば、強い力が必要となる回路基板５５と基板接続部３５との接続解除時に、第１付勢部３３と第２付勢部３７の両方で液体収容体４０を付勢することができる。
【００２９】
図５に示すように、液体収容体４０は、液体を収容する袋４９を有する収容容器５７と、収容容器５７が着脱可能に装着されるトレイ５８と、を有してもよい。この場合、液体を補給するときには、トレイ５８から収容容器５７を外し、新しい収容容器５７と交換する。そのため、収容容器５７を交換しながら、トレイ５８はそのまま使い続けることができる。
【００３０】
トレイ５８は、底面４１及び側面４３，４４と、装着面４５の下側部分とを構成するとき、収容容器５７は、装着面４５の上側部分と、天面４２とを構成する。この場合、トレイ５８は付勢受部５３及び位置決め孔５６を有し、収容容器５７は、液体導出部５０と、回路基板５５と、位置決め孔５６と、を有する。
【００３１】
図６及び図７に示すように、液体収容体４０について、幅の異なる複数のバリエーションがある場合、幅方向Ｘの中心を基準として、液体導出部５０、係合凹部５１、付勢受部５３、回路基板５５及び位置決め孔５６の配置を一致させることが好ましい。
【００３２】
幅の異なる液体収容体４０の間で、液体導出部５０に対する付勢受部５３及び係合部４７の配置を一致させてもよい。例えば、図６及び図７に示す正面視において、２つの付勢受部５３を幅方向Ｘにおいて液体導出部５０を挟む位置に配置することができる。
【００３３】
図８及び図９に示すように、係合凹部５１は、トレイ５８に設けるとよい。この場合、図２に示す係止部３１は、トレイ５８を係止するように構成される。そのため、トレイ５８は、収容容器５７を装着していない状態でも、装着部１４（図２参照）に装着することができる。逆に、トレイ５８に装着されていない収容容器５７は、装着部１４（図２参照）に装着することができない。トレイ５８に装着されていない収容容器５７が移動路３２に入って第１付勢部３３を押すと、収容容器５７は第１付勢部３３から付勢力を受けて押し返される。
【００３４】
図５、図８及び図９に示すように、付勢受部５３、係合部４７及び係合突部４８は、トレイ５８に設けるとよい。この場合、図２に示す第１付勢部３３及び第２付勢部３７は、トレイ５８を付勢するように構成される。収容容器５７の袋４９は、液体の収容量によって形状が変わることがあるが、トレイ５８は形状が変わらない。そのため、付勢受部５３及び係合部４７をトレイ５８に設けておけば、付勢力を確実に液体収容体４０に作用させることができる。
【００３５】
図８及び図９に示すように、係合突部４８の底に溝４８ａを形成し、溝４８ａを埋める態様で係合部４７を形成すると、係合部４７を係合突部４８と一体に形成することができる。この場合、溝４８ａの装着面４５に近い方の端部を開放しておくと、開放された端部から溝４８ａ内に第２付勢部３７（図２参照）を進入させることができる。
【００３６】
次に、以上のように構成された液体噴射装置１１の作用及び効果について説明する。
（１）液体収容体４０は、移動路３２に入ってしばらくは第２付勢部３７の付勢力を受け、移動路３２の終端に至って係止部３１に係止されるときに第１付勢部３３の付勢力が加わる。そのため、移動中にずっと第１付勢部３３及び第２付勢部３７から付勢力を受ける場合と比較して、液体収容体４０を係止部３１に向けて移動させる装着操作に要する力が少なくて済む。液体収容体４０に対する係止部３１の係止が外れると、液体収容体４０は第２付勢部３７から受ける付勢力によって装着部１４から押し出されるので、液体収容体４０を取り外し易い。したがって、液体収容体４０の着脱操作を適切に行うことができる。
【００３７】
（２）液体収容体４０は、係止部３１に近づいたときに、装着面４５にある付勢受部５３で第１付勢部３３の付勢力を受ける。そのため、液体収容体４０に対する係止部３１の係止が外れると、液体収容体４０は第１付勢部３３の付勢力を付勢受部５３に受けて、移動路３２の始端に向けて移動することができる。
【００３８】
（３）係合部４７は液体収容体４０の移動路３２に沿って延びる底面４１に設けられるので、第２付勢部３７が液体収容体４０を付勢する距離Ｌ２を長くすることができる。そのため、第２付勢部３７の付勢距離Ｌ２を調整することによって、装着部１４から取り外すときの液体収容体４０の移動路３２からの飛び出し量を変更することができる。
【００３９】
（４）液体収容体４０は、係合突部４８が案内部３４と係合した状態で移動路３２に沿って移動する。そのため、係合突部４８に沿う位置に係合部４７を配置し、案内部３４に沿う位置にガイド孔３８ａを配置すると、案内部３４に沿って移動する液体収容体４０に対して、第２付勢部３７を確実に係合させることができる。
【００４０】
（５）液体収容体４０は装着方向Ｄ１が長手方向となるので、装着部１４の移動路３２が装着方向Ｄ１に長くなる。第２付勢部３７を移動路３２に沿う位置に配置すると、移動路３２の長さに応じて、第２付勢部３７が液体収容体４０を付勢する距離Ｌ２を調整することができる。
【００４１】
上記実施形態は、以下に示す変更例のように変更してもよい。また、上記実施形態に含まれる構成と下記変更例に含まれる構成とを任意に組み合わせてもよいし、下記変更例に含まれる構成同士を任意に組み合わせてもよい。なお、以下の説明において、既出の構成要素と同様の機能を有するものには同じ符号を付して、重複する説明を省略する。
【００４２】
・第１付勢部３３は第１付勢部材２６と一体化した構成にしてもよい。
・第２付勢部３７は第２付勢部材３９と一体化した構成にしてもよい。
・第２付勢部３７は、液体収容体４０の装着面４５が移動路３２に入ってすぐに係合部４７と係合してもよいし、液体収容体４０が移動路３２に半分以上入った後に係合部４７と係合してもよい。
【００４３】
・１の液体収容体４０に対して、２以上の第１付勢部３３が係合する構成にしてもよい。
・１の液体収容体４０に対して、２以上の第２付勢部３７が係合する構成にしてもよい。例えば、装着部１４に幅広い１つの液体収容体４０を装着する場合、幅方向Ｘに並ぶ２つ以上の第２付勢部３７で液体収容体４０を付勢してもよい。
【００４４】
・第２付勢部３７は、液体収容体４０の装着面４５、側面４３，４４または天面４２に係合して、液体収容体４０を付勢する構成であってもよい。
・第１付勢部３３の付勢距離Ｌ１を長くするスペースが装着部１４にある場合には、第１付勢部３３の付勢距離Ｌ１と第２付勢部３７の付勢距離Ｌ２が同じでもよい。
【００４５】
・液体噴射ヘッド２１が噴射する液体はインクに限らず、例えば機能材料の粒子が液体に分散又は混合されてなる液状体などであってもよい。例えば、液体噴射ヘッド２１は、液晶ディスプレイ、ＥＬ（エレクトロルミネッセンス）ディスプレイ及び面発光ディスプレイの製造などに用いられる電極材や色材（画素材料）などの材料が分散または溶解した液状体を噴射する構成にしてもよい。
【００４６】
・媒体９９は用紙に限らず、プラスチックフィルムや薄い板材などでもよいし、捺染装置などに用いられる布帛であってもよい。媒体９９はＴシャツなど、任意の形状の衣類等であってもよいし、食器または文具のような任意の形状の立体物であってもよい。
【００４７】
以下に、上述した実施形態及び変更例から把握される技術的思想及びその作用効果を記載する。
［思想１］
液体を収容可能な液体収容体が着脱可能に装着される装着部と、
前記液体収容体から供給される前記液体を噴射するように構成された液体噴射ヘッドと、
を備え、
前記装着部は、前記液体収容体を係止可能な係止部と、前記係止部に向けて延びる移動路と、前記液体収容体を前記係止部から離れる方向に付勢可能な第１付勢部及び第２付勢部と、を有し、
前記液体収容体が前記係止部から離れた前記移動路上では前記第２付勢部が前記液体収容体を付勢し、前記液体収容体が前記係止部に係止されるときには、前記第２付勢部に加えて前記第１付勢部が前記液体収容体を付勢する
ことを特徴とする液体噴射装置。
【００４８】
この構成によれば、液体収容体は、移動路に入ってしばらくは第２付勢部の付勢力を受け、移動路の終端に至って係止部に係止されるときに第１付勢部の付勢力が加わる。そのため、移動中にずっと第１付勢部及び第２付勢部の付勢力を受ける場合と比較して、液体収容体を係止部に向けて移動させる装着操作に要する力が少なくて済む。液体収容体に対する係止部の係止が外れると、液体収容体は第２付勢部の付勢力によって装着部から押し出されるので、液体収容体を取り外し易い。したがって、液体収容体の着脱操作を適切に行うことができる。
【００４９】
［思想２］
前記液体収容体は、前記移動路上にあるときに、前記移動路の終端側の端に、前記第１付勢部と係合可能な付勢受部を有する
ことを特徴とする［思想１］に記載の液体噴射装置。
【００５０】
この構成によれば、液体収容体は、係止部に近づいたときに、付勢受部で第１付勢部から付勢力を受けることができる。
［思想３］
前記液体収容体は、前記移動路に沿って延びる外面を有し、
前記外面には、前記第２付勢部と係合可能な係合部が設けられる
ことを特徴とする［思想１］または［思想２］に記載の液体噴射装置。
【００５１】
この構成によれば、係合部は液体収容体の移動路に沿って延びる面に設けられるので、第２付勢部が液体収容体を付勢する距離を長くすることができる。
［思想４］
前記液体収容体は、前記液体を収容する収容容器と、前記収容容器が着脱可能に装着されるトレイと、を有し、
前記第１付勢部及び前記第２付勢部は、前記トレイに係合して、前記液体収容体を付勢するように構成される
ことを特徴とする［思想１］から［思想３］のうちいずれか１つに記載の液体噴射装置。
【００５２】
この構成によれば、収容容器を交換しながら、トレイを恒久的に使用することができる。
［思想５］
前記液体収容体は、前記移動路上にあるときに、前記移動路の終端側の端に、前記液体を導出する液体導出部を有し、
前記装着部は、前記液体導出部と接続可能な液体導入部を有し、
前記液体収容体が前記装着部から取り外されるときには、前記液体導出部と前記液体導入部との接続が外れた後に、前記液体収容体が前記第１付勢部から離れる
ことを特徴とする［思想１］から［思想４］のうちいずれか１つに記載の液体噴射装置。
【００５３】
この構成によれば、強い力が必要となる液体導出部と液体導入部との接続解除時には、第１付勢部と第２付勢部の両方で液体収容体を付勢することができる。
［思想６］
前記液体収容体は回路基板を有し、
前記装着部は前記回路基板と電気的に接続される基板接続部を有し、
前記液体収容体が前記装着部から取り外されるときには、前記回路基板と前記基板接続部との接続が外れた後に、前記液体収容体が前記第１付勢部から離れる
ことを特徴とする［思想１］から［思想５］のうちいずれか１つに記載の液体噴射装置。
【００５４】
この構成によれば、強い力が必要となる回路基板と基板接続部との接続解除時には、第１付勢部と第２付勢部の両方で液体収容体を付勢することができる。
［思想７］
前記装着部は、前記移動路に沿って延びる案内部を有し、
前記第２付勢部の少なくとも一部は、前記案内部に沿って配置される
ことを特徴とする［思想１］から［思想６］のうちいずれか１つに記載の液体噴射装置。
【００５５】
この構成によれば、案内部に沿って移動する液体収容体に対して、第２付勢部を確実に係合させることができる。
［思想８］
前記移動路において、前記液体収容体が前記第２付勢部から付勢力を受けた状態で移動可能な距離は、前記液体収容体が前記第１付勢部から付勢力を受けた状態で移動可能な距離よりも長い
ことを特徴とする［思想１］から［思想７］のうちいずれか１つに記載の液体噴射装置。
【００５６】
この構成によれば、移動路の長さに応じて、第２付勢部が液体収容体を付勢する距離を調整することができる。
【符号の説明】
【００５７】
１１…液体噴射装置、１２…筐体、１４…装着部、１５…支持台、１６…カセット、１７…増設ユニット、１８…ガイド軸、１９…カセット、２０…液体導入部、２１…液体噴射ヘッド、２２…キャリッジ、２３…供給流路、２３ａ…チューブ、２３ｂ…継手、２４…ノズル、２５…液受け部、２６…第１付勢部材、３１…係止部、３２…移動路、３３…第１付勢部、３４…案内部、３５…基板接続部、３６…位置決め突部、３７…第２付勢部、３７ｂ…第２係止部、３８…底板、３８ａ…ガイド孔、３８ｂ…第１係止部、３９…第２付勢部材、４０…液体収容体、４１…底面、４２…天面、４３…側面、４４…側面、４５…装着面、４６…背面、４７…係合部、４８…係合突部、４８ａ…溝、４９…袋、５０…液体導出部、５１…係合凹部、５３…付勢受部、５５…回路基板、５６…位置決め孔、５７…収容容器、５８…トレイ、９９…媒体、１００…制御部、Ｘ…幅方向、Ｙ…奥行方向、Ｚ…重力方向、Ｄ１…装着方向、Ｄ２…取出方向、Ｌ１…第１付勢部の付勢距離、Ｌ２…第２付勢部の付勢距離。
【図１】
2018138333.tif 000003
【図２】
2018138333.tif 000004
【図３】
2018138333.tif 000005
【図４】
2018138333.tif 000006
【図５】
2018138333.tif 000007
【図６】
2018138333.tif 000008
【図７】
2018138333.tif 000009
【図８】
2018138333.tif 000010
【図９】
2018138333.tif 000011